(57)【要約】【課題】雑音の影響を軽減した胎児心音マイクロフォンを提供すること【解決手段】胎児心音マイクロフォン１は、妊婦母体と接触させて生体内で発生する胎児心音を聴取する。マイクロフォン素子２は、妊婦母体との接触面８から検出した振動に応じた電気信号を出力する。内ケース３は、マイクロフォン素子２を収容する。外ケース６は、内ケース３の外側面を覆うように設けられる。内ケース３と外ケース６は、２つの支持部材５−１及び５−２により連結される。【選択図】図２
2014045918.tif 000002
【特許請求の範囲】
【請求項１】
妊婦母体と接触させて母体内で発生する胎児心音を聴取する胎児心音マイクロフォンであって、
妊婦母体との接触面から検出した振動に応じた電気信号を出力するマイクロフォン素子と、
前記マイクロフォン素子を収容する内ケースと、
前記内ケースの外側に設けられた外ケースと、を備え、
前記外ケースと前記内ケースは、１つの支持部材または２つの支持部材により連結されたことを特徴とする胎児心音マイクロフォン。
【請求項２】
前記２つの支持部材が同軸に配置されており、妊婦母体との接触面と前記２つの支持部材を結ぶ方向が略平行であることを特徴とする請求項１に記載の胎児心音マイクロフォン。
【請求項３】
前記１つの支持部材または前記２つの支持部材を軸として前記内ケースが回転可能に構成されたことを特徴とする請求項１に記載の胎児心音マイクロフォン。
【請求項４】
前記外ケースと、前記妊婦母体との接触面の平行面と、の間に遮音部材を備えることを特徴とする請求項１〜３のいずれか１項に記載の胎児心音マイクロフォン。
【請求項５】
前記１つの支持部材または前記２つの支持部材は、それぞれ円筒形状であることを特徴とする請求項１〜４のいずれか１項に記載の胎児心音マイクロフォン。
【請求項６】
前記接触面と平行な面から前記内ケースの内部に延設され、かつ前記内ケースの上面及び前記マイクロフォン素子の上面を覆うように設けられた制振部を更に有することを特徴とする請求項１〜５のいずれか１項に記載の胎児心音測定装置。
【請求項７】
妊婦母体と接触させて母体内で発生する胎児心音を聴取する胎児心音マイクロフォンであって、
妊婦母体との接触面から検出した振動に応じた電気信号を出力する第１及び第２マイクロフォン素子と、
前記第１マイクロフォン素子を収容する第１内ケースと、
前記第２マイクロフォン素子を収容する第２内ケースと、
前記第１内ケース及び第２内ケースの外側に設けられた外ケースと、を備え、
前記外ケースと前記第１内ケースは、１つの支持部材または２つの支持部材により連結され、
前記外ケースと前記第２内ケースは、１つの支持部材または２つの支持部材により連結されたことを特徴とする胎児心音マイクロフォン。
【請求項８】
前記外ケースの長手方向と、前記外ケースと前記第１内ケースを連結する前記１つの支持部材または前記２つの支持部材の軸方向と、が略直交し、
前記外ケースの長手方向と、前記外ケースと前記第２内ケースを連結する前記１つの支持部材または前記２つの支持部材の軸方向と、が略直交することを特徴とする請求項７に記載の胎児心音マイクロフォン。
【発明の詳細な説明】
【技術分野】
【０００１】
本発明は胎児心音マイクロフォンに関し、特に雑音軽減機能を有する胎児心音マイクロフォンする。
【背景技術】
【０００２】
近年、接触型マイクロフォンを用いて人間を始めとする様々な生体の状態を取得する装置が提案されている。非特許文献１には、人体向けの接触型マイクロフォン等が提案されている。非特許文献２では、人体への接触型マイクロフォンを応用し、妊婦母体内の胎児の生体情報を得る一手法が提案されている。この手法は、妊婦母体内の胎児の生体情報を完全な無侵襲で抽出することができるため、非常に有効である。特許文献１には、非測定者の体内で発生する生体音信号のみを出力できる生体音検出装置が開示されている。
【０００３】
以下、生体マイクロフォンを用いた妊婦母体内の胎児の心音検出について検討する。一般的に妊娠２５週前後までの期間では、胎児は妊婦母体内を移動しやすいため、妊婦母体内での位置が変わりやすい。また胎児の妊婦母体内での位置が定まった後であっても、胎児の姿勢や向きに応じて、その時々で胎児心音マイクロフォンと妊婦母体表面との最適な接触位置は変化する。
【先行技術文献】
【特許文献】
【０００４】
【特許文献１】特開２０００−６０８４５号公報
【非特許文献】
【０００５】
【非特許文献１】中村淑貴著、「ＮＡＭインターフェイスコミュニケーション」、奈良先端技術大学院大学博士論文、２００５年２月２日
【非特許文献１】財団法人  関西文化科学術研究都市推進機構、「平成２０年度〜平成２２年度  研究成果報告書  ユビキタス生体計測ヘルスケアデバイス・システムの開発」、２００９年
【発明の概要】
【発明が解決しようとする課題】
【０００６】
上述のように妊婦母体内での胎児の位置や姿勢は、その時々により異なる。そのため胎児の心音を測定するには、まず妊婦母体表面上で最適な心音聴取位置（胎児マイクロフォンと母体表面の接触位置）を探す必要がある。すなわち使用者は、胎児心音マイクロフォンを手で把持して妊婦母体表面上を移動させる必要がある。さらに胎児心音マイクロフォンは、測定時に使用者により把持され、妊婦母体と接触した状態で使用される。
【０００７】
このように胎児心音マイクロフォンは使用者（例えば妊婦）により把持されて扱われるため、手の揺れや振動等に起因する雑音の影響を受けてしまう。この雑音により、胎児心音の測定精度が悪くなるという問題があった。
【０００８】
本発明は、このような問題点を解決するためになされたものであり、雑音の影響を軽減した胎児心音マイクロフォンを提供することを主たる目的とする。
【課題を解決するための手段】
【０００９】
そこで本発明は、妊婦母体と接触させて母体内で発生する胎児心音を聴取する胎児心音マイクロフォン（１）であって、
妊婦母体との接触面から検出した振動に応じた電気信号を出力するマイクロフォン素子（２）と、前記マイクロフォン素子を収容する内ケース（３）と、前記内ケースの外側に設けられた外ケース（６）と、を備え、前記外ケース（６）と前記内ケース（３）は、１つの支持部材（５−３）または２つの支持部材（５−１、５−２）により連結された胎児心音マイクロフォン（１）を提供する。
上記胎児心音マイクロフォン（１）において、前記２つの支持部材（５−１、５−２）が同軸に配置されており、妊婦母体との接触面（８）と前記２つの支持部材（５−１、５−２）を結ぶ方向が略平行であってもよい。
上記胎児心音マイクロフォン（１）において、前記１つの支持部材（５−３）または前記２つの支持部材（５−１、５−２）を軸として前記内ケース（３）が回転可能に構成されていても良い。
上記胎児心音マイクロフォン（１）において、前記外ケース（６）と、前記妊婦母体との接触面の平行面と、の間に遮音部材（１０）を備えていても良い。
上記胎児心音マイクロフォン（１）において、前記１つの支持部材（５−３）または前記２つの支持部材（５−１、５−２）は、それぞれ円筒形状であってもよい。
上記胎児心音マイクロフォン（１）において、前記接触面（８）と平行な面から前記内ケース（３）の内部に延設され、かつ前記内ケース（３）の上面及び前記マイクロフォン素子（２）の上面を覆うように設けられた制振部（１１）を更に有しても良い。
胎児心音マイクロフォン（１）は、妊婦母体と接触させて母体内で発生する胎児心音を聴取する胎児心音マイクロフォン（１）であって、妊婦母体との接触面から検出した振動に応じた電気信号を出力する第１（２）及び第２マイクロフォン素子（２）と、
前記第１マイクロフォン素子（２）を収容する第１内ケース（３−１）と、前記第２マイクロフォン素子（２）を収容する第２内ケース（３−２）と、前記第１内ケース（３−１）及び第２内ケース（３−２）の外側に設けられた外ケース（６）と、を備え、前記外ケース（６）と前記第１内ケース（３−１）は、１つの支持部材または２つの支持部材（５−１、５−２）により連結され、前記外ケース（６）と前記第２内ケース（３−２）は、１つの支持部材または２つの支持部材（５−４、５−５）により連結されている。
上記胎児心音マイクロフォン（１）において、前記外ケース（６）の長手方向と、前記外ケース（６）と前記第１内ケース（３−１）を連結する前記１つの支持部材または前記２つの支持部材（５−１、５−２）の軸方向と、が略直交し、前記外ケース（６）の長手方向と、前記外ケース（６）と前記第２内ケース（３−２）を連結する前記１つの支持部材または前記２つの支持部材（５−４、５−５）の軸方向と、が略直交する構成であっても良い。
【発明の効果】
【００１０】
本発明では、雑音の影響を軽減した胎児心音マイクロフォンを提供することができる。
【図面の簡単な説明】
【００１１】
【図１】本発明の実施の形態１にかかる胎児心音マイクロフォン１の斜視図である。
【図２】本発明の実施の形態１にかかる胎児心音マイクロフォン１の縦断面図である。
【図３Ａ】本発明の実施の形態１にかかる孔９−１及び支持部材５−１の構成を示す図である。
【図３Ｂ】本発明の実施の形態１にかかる孔９−１及び支持部材５−１の構成例を示す図である。
【図３Ｃ】本発明の実施の形態１にかかる孔９−１及び支持部材５−１の構成例を示す図である。
【図３Ｄ】本発明の実施の形態１にかかる孔９−１及び支持部材５−１の構成例を示す図である。
【図３Ｅ】本発明の実施の形態１にかかる孔９−１及び支持部材５−１の構成例を示す図である。
【図４Ａ】一般的な胎児心音マイクロフォンにおける外振動の影響にかかる測定結果を示す図である。
【図４Ｂ】本発明の実施の形態１にかかる胎児心音マイクロフォン１における外振動の影響にかかる測定結果を示す図である。
【図５】本発明の実施の形態１にかかる胎児心音マイクロフォン１の斜視図である。
【図６】本発明の実施の形態１にかかる孔９−３及び支持部材５−３の構成例を示す図である。
【図７】本発明の実施の形態２にかかる胎児心音マイクロフォン１の斜視図である。
【図８】本発明の実施の形態２にかかる胎児心音マイクロフォン１の縦断面図である。
【図９】本発明の実施の形態３にかかる胎児心音マイクロフォン１の縦断面図である。
【図１０】本発明のその他の実施の形態にかかる胎児心音マイクロフォン１の斜視図である。
【図１１】本発明のその他の実施の形態にかかる胎児心音マイクロフォン１の縦断面図である。
【図１２】本発明のその他の実施の形態にかかる胎児心音マイクロフォン１の構成を示す図である。
【発明を実施するための形態】
【００１２】
＜実施の形態１＞
以下、図面を参照して本発明の実施の形態について説明する。図１は、本実施の形態にかかる胎児心音マイクロフォン１を示す斜視図である。なお本明細書における図面は視認しやすくするため、適宜図示を簡略化したり、一部の部材の縮尺や位置を実際の仕様とは異ならせてある場合がある。
【００１３】
本実施の形態にかかる胎児心音マイクロフォン１は、内ケース３、外ケース６、及び内ケース３と外ケース６を連結させる２つの支持部材５−１及び５−２を有する。支持部材５−１及び５−２は、外ケース６と内ケース３を連結する連結部の一態様である。
【００１４】
外ケース６は使用者（たとえば妊婦本人）が把持する筺体である。内ケース３は、後述するマイクロフォン素子２等を収容し、外ケース６の上面との対向面に妊婦母体との接触面８（図１には図示せず）を有する。ここで外ケース６の上面から内ケース３の接触面８を見た方向を下方向または振動検出方向と定義し、逆方向を上方向と定義する。支持部材５−１及び５−２は同軸上に設けられ、内ケース３と外ケース６を連結する。ここで支持部材５−１及び５−２の軸方向は、内ケース３の接触面８と略平行方向である。
【００１５】
図２を参照して更に説明する。図２は、胎児心音マイクロフォン１の縦断面図である。当該断面は、支持部材５−１及び５−２の軸を含む。胎児心音マイクロフォン１は、マイクロフォン素子２と、内ケース３と、振動伝達部４と、支持部材５−１及び５−２と、外ケース６とを備えている。振動伝達部４の上面とマイクロフォン素子２の下面との間には、振動板７が設けられている。すなわちマイクロフォン素子２は、振動検出方向（下方向）に露出した振動板７を有する。振動伝達部４の下面（底面）には、妊婦母体表面と接触する接触面８を有する。
【００１６】
マイクロフォン素子２は、振動板７における振動を検出する。マイクロフォン素子２は、検出した振動に応じた電気信号を、胎児心音マイクロフォン１と電気的に接続する任意の処理部（例えばディスプレイ装置や印字装置）に出力する。なお、この電気信号が供給された処理部が振動状態を示す波形等をディスプレイ等に表示させることにより、使用者は胎児の心音状態を把握することができる。胎児心音マイクロフォン１が信号処理部（図示せず）を有し、外ケース６の外表面上に設けた表示部に当該信号処理部が処理した胎児心音データを表示する構成とすることも可能である。
【００１７】
マイクロフォン素子２は、例えばエレクトリックコンデンサ型、コンデンサ型、圧電型、ダイナミック型等の任意の種別のマイクロフォン素子であればよい。なおマイクロフォン素子２は、使用環境や検出対象に応じてその種別が選択されるものであるが、軽量化、小サイズ化、回路信号処理等の観点からエレクトリックコンデンサ型とすることが最も有効である。
【００１８】
振動伝達部４は、接触面８から検出対象物（振動源）となる妊婦母体表面で発生した胎児心音の振動を振動板７に伝達する振動伝達媒体である。振動伝達部４は、接触面８の振動を振動板７に伝達する媒体であればよく、例えばシリコンゲルを充填する構成でも良く、空気（すなわち振動伝達部４が空洞）であっても良い。振動伝達部４として妊婦母体と近い媒質であるシリコンゲルを用いた場合、妊婦母体と胎児心音マイクロフォン１との間の音響インピーダンスの相違が小さくなり、胎児心音の振動の減衰を回避することができる。振動伝達部４は、図示するように円錐形（図中における台形形状）にしても良く、コーン型、パラボラ型、ホーン型等の形状であっても良い。振動伝達部４は、マイクロフォン素子２と接触面８との距離等に応じて最も胎児心音の振動伝達を効率良く行える形状であればよい。
【００１９】
マイクロフォン素子２と接触する振動板７は、振動伝達部４と当接している。振動板７は、振動伝達部４と接する板状の部材であるが、必ずしも板状部材に限られず例えば振動膜であっても良い。
【００２０】
内ケース３は、マイクロフォン素子２及び振動伝達部４の外側面を覆うように配置される。換言すると内ケース３は、マイクロフォン素子２及び振動伝達部４を収容する。内ケース３は、図示するように円筒形の形状であるが、必ずしもこれに限られず他の形状（例えば六角筒形、八角筒形等）であっても良い。内ケース３は、例えばアルミニウム、真鍮、ステンレス等の制振性の高い金属、ＡＢＳ樹脂、ＰＥＴ樹脂、ＰＣ（ポリカーボネート）等の樹脂等により形成されている。
【００２１】
内ケース３の外側面には、２つの支持部材５−１、５−２が備えられている。支持部材５−１及び５−２は、円筒形状である。なお支持部材５−１及び５−２を円筒形状以外の形状（たとえば六角筒形、八角筒形等）とすることも可能であるが、後述するように支持部材５−１及び５−２は、回転軸となるために円筒形状であることが望ましい。支持部材５−１及び５−２は、同軸上に設けられ、かつ支持部材５−１及び５−２を結ぶ直線は、接触面８と略平行である。支持部材５−１、５−２は、内ケース３と同一素材とすることも可能であるし、他の素材を用いて構成してもよい。
【００２２】
外ケース６は、内ケース３の外側面を覆うように配置される。外ケース６は、使用者（例えば妊婦本人）が把持する部分である。図１及び図２において外ケース６は、円筒形状としているが、必ずしもこれに限られず、他の形状であっても良い。また外ケース６は、図示するように上面部と側面部との間に湾曲部を有するが、必ずしもこれに限られず、把持に適した形状であればよい。
【００２３】
外ケース６は、内側面に２つの孔９−１、９−２を有する。孔９−１及び９−２は、同軸上に設けられる。孔９−１及び９−２が支持部材５−１及び５−２とそれぞれ嵌合する。これにより、外ケース６と内ケース３が連結する。内ケース３と外ケース６の接触個所は、支持部材５−１及び５−２のみである。接触個所が支持部材５−１及び５−２のみであり、かつ支持部材５−１及び５−２が同軸方向にあるため、内ケース３が外ケース６に対して支持部材５−１及び５−２を軸として回転可能となる。
【００２４】
図３を参照して、支持部材５−１と孔９−１の関係について説明する。図３Ａは、図２における孔９−１及び支持部材５−１にかかる箇所を拡大した図である。図３ＡにおけるＡ−Ａ断面の例を図３Ｂ〜図３Ｅに示す。
【００２５】
図３Ｂは、孔９−１を円筒形状とし、支持部材５−１も孔９−１と略同一直径を持つ円筒形状とした構成例である。図３Ｃは、孔９−１の断面を楕円形状とし、支持部材５−１を円筒形状とした構成例である。図３Ｄは、孔９−１の断面を正方形とし、支持部材５−１を円筒形状とした構成例である。図３Ｅは、孔９−１の断面を正六角形とし、支持部材５−１を円筒形状とした構成例である。図３Ｃ〜図３Ｅの構成では、図示するように、支持部材５−１と孔９−１は複数の接点を有する。図３Ｂ〜図３Ｅに示す構成のように、支持部材５−１を円筒形状とすることにより、支持部材５−１及び５−２を軸として内ケース３が回転可能になる。
【００２６】
なお、支持部材５−１を円筒形状としなくても回転可能とすることは可能であるが、内ケース３の回転時にガタつきが生じるため、円筒形状とすることが望ましい。また、図３Ｂに示すように孔９−１及び支持部材５−１を略同一形状とする構成、または図３Ｃ〜図３Ｅに示すように孔９−１と支持部材５−１に複数の接点がある構成とすることにより、内ケース３の回転時のガタつきを軽減することができる。図３Ｂ〜図３Ｅの構成はあくまでも一例であり、内ケース３が回転可能な構成であれば、その他の構成であっても良いことは言うまでもない。孔９−２と支持部材５−２の関係も図３に示す関係と略同一である。
【００２７】
続いて本実施の形態にかかる胎児心音マイクロフォン１の効果について説明する。上述したように、本実施の形態にかかる胎児心音マイクロフォン１は、ユーザが外ケース６を把持して使用する構成である。外ケース６と、マイクロフォン素子２を収容した内ケース３は、２つの支持部材５−１及び５−２により連結されている。換言するとユーザが把持する外ケース６と内ケース３の接触箇所は、２つの支持部材５−１及び５−２のみである。このように、使用者の手の揺れ等の影響を受ける外ケース６と内ケース３との接触部分を小さくしたことにより、手の揺れ等が内ケース３に伝わりづらくなる。手の揺れ等が内ケース３に伝わらなくなることにより、内ケース３に収容されているマイクロフォン素子２が検出する雑音（ノイズ）を小さくすることができる。
【００２８】
図４に外振動の影響にかかる測定結果を示す。図４Ａは、外ケース６を有さない胎児心音マイクロフォン（すなわち内ケース３を使用者が把持する形態の胎児心音マイクロフォン）において、生体ダミーシート上に接触面８を載置し、内ケース３上にエキサイターを置いて外振動を与えた場合の音量レベルの変化を示すグラフである。図４Ｂは、外ケース６を有する胎児心音マイクロフォン１（すなわち本実施の形態にかかる胎児心音マイクロフォン１）において、生体ダミーシート上に接触面８を載置し、外ケース６上にエキサイターを置いて外振動を与えた場合の音量レベルの変化を示すグラフである。
【００２９】
図示するように、本実施の形態にかかる胎児心音マイクロフォン１を用いた場合（図４Ｂ）、各周波数において、外ケース６を有さない胎児心音マイクロフォンを用いた場合（図４Ａ）よりも音量レベルが小さい。すなわち、本実施の形態にかかる胎児心音マイクロフォン１を用いた場合（図４Ｂ）、外ケース６を有さない胎児心音マイクロフォンを用いた場合（図４Ａ）よりも外振動であるエキサイターによる影響を受けづらい。
【００３０】
以下、支持部材５−１および支持部材５−２による雑音低減以外の効果についても説明する。また支持部材５−１及び支持部材５−２は、同軸上に設けられている。これにより、支持部材５−１及び５−２の大きさを小さく保ったまま、内ケース３を外ケース６に確実に固定することができる。
【００３１】
さらにまた、上述したように内ケース３は、支持部材５−１及び５−２を軸として外ケース６に対して回転可能な構成である。胎児の週齢等や腹部の位置により妊婦体表の湾曲面は変化する。しかし上述のように内ケース３が回転可能な構成であることにより、使用者が外ケース６を持つ手の向きに関わらず、接触面８と妊婦母体表面とを密着させることが可能となる。接触面８と妊婦母体表面とを密着させることにより、外部振動の影響をより少なくすることができる。
【００３２】
なお図５の斜視図に示すように、胎児心音マイクロフォン１は、一つの支持部材５−３のみを有する構成としても良い。支持部材５−３は、支持部材５−１または５−２と略対応する構成であり、円筒形状である。当該構成であっても、内ケース３と外ケース６の接触個所を小さくすることができ、手の揺れ等に起因する雑音（ノイズ）を小さくすることができる。更に、当該構成であっても内ケース３は図３に示す構成にすることにより回転可能であるため、使用者が外ケース６を持つ手の向きに関わらず、接触面８と妊婦母体表面とを密着させることが可能となる。また支持部材５−３は、支持部材５−１及び５−２と同様に円筒形状である。これにより内ケース３の回転時のガタつきを防止することができる。なお、この構成では内ケース３と外ケース６の接触個所が支持部材５−３のみであるため、支持部材５−３が十分な強度を有する必要がある。
【００３３】
図６は、支持部材が１つの場合の孔９−３（支持部材５−３に対応する外ケース６の孔）と支持部材５−３の関係の一例を示す図である。支持部材５−３は、図６に示すように先端部分に凸部を有する構成であり、孔９−３は当該凸部と嵌め合わせる溝を有することが好ましい。これにより、支持部材が１つである場合であっても内ケース３を外ケース６に確実に固定することができる。
【００３４】
＜実施の形態２＞
本実施の形態にかかる胎児心音マイクロフォン１は、外ケース６と妊婦母体との間に遮音部材１０を設けたことを特徴とする。本実施の形態にかかる胎児心音マイクロフォン１について実施の形態１と異なる点を以下に説明する。
【００３５】
図７は、本実施の形態にかかる胎児心音マイクロフォン１を示す斜視図である。本実施の形態にかかる胎児心音マイクロフォン１は、内ケース３、外ケース６、支持部材５−１及び５−２に加えて遮音部材１０を更に備える。
【００３６】
図８は、本実施の形態にかかる胎児心音マイクロフォン１の縦断面図である。当該断面は、支持部材５−１及び５−２の軸を含む。遮音部材１０は、外ケース６の下側面と接触面８の平行面との間に設けられる。外ケース６が図７に示すように円筒形状である場合、遮音部材１０は略リング形状となる。遮音部材１０は、外ケース６と妊婦母体との間の隙間から入る外来雑音を遮断する部材である。また遮音部材１０は、妊婦母体表面と接触する箇所である。そのため、遮音部材１０はクッション性のある柔らかい部材であることが望ましい。遮音部材１０は、例えばゲルやシリコン等の軟性高分子材料、不織布等であることが好ましい。なお図５に示すように支持部材が１つの構成の場合であっても、遮音部材１０を設けることが可能である。
【００３７】
続いて、本実施の形態にかかる胎児心音マイクロフォン１の効果について説明する。上述のように、本実施の形態にかかる胎児心音マイクロフォン１は、妊婦母体表面と外ケース６の下側（振動検出方向側）の外側面との間に遮音部材１０を有する。この遮音部材１０は、内ケース３と外部との間の隙間からの外来雑音を遮断する。これにより、内ケース３内のマイクロフォン素子２に伝わる外来雑音を少なくすることができる。また、遮音部材１０をクッション性のある柔らかい部材とすることにより、妊婦母体に対する負担を軽減することができる。
【００３８】
＜実施の形態３＞
本実施の形態にかかる胎児心音マイクロフォン１は、内ケース３の内部に制振部１１を更に設けたことを特徴とする。本実施の形態にかかる胎児心音マイクロフォン１について実施の形態１と異なる点を以下に説明する。
【００３９】
本実施の形態にかかる胎児心音マイクロフォン１は、内ケース３の内部構成のみが実施の形態１と異なるため、図９の断面図を用いてその構成を説明する。図３は、胎児心音マイクロフォン１の構成を示す断面図である。当該断面図は、支持部材５−１と５−２を結ぶ軸を含む。
【００４０】
内ケース３には図示するように制振部１１が接触面８の平行面から内ケース３の外側面と略平行方向に延設されている。制振部１１は、内ケース３及びマイクロフォン素子２の上面を覆うように設置されている。すなわち制振部１１は、マイクロフォン素子２を覆うように設けられている。制振部１１は、外部ノイズを遮断する役割を担うため、耐摺動ノイズ特性や耐外部環境ノイズ特性に優れていることが望ましい。制振部１１は、好ましい例として粘弾性体やゴム弾性体、特に好ましい例として例えばウレタンネストラマー等が挙げられる。なお図９では、制振部１１が内ケース３及びマイクロフォン素子２の上面と当接しているが必ずしもこれに限られず、例えば制振部１１と、内ケース３及びマイクロフォン素子２の上面と、の間に空洞があっても良い。
【００４１】
本実施の形態にかかる胎児心音マイクロフォン１の効果について説明する。胎児心音マイクロフォン１は、内部に制振部１１を有する。制振部１１は上述のように耐摺動ノイズ特性や耐外部環境ノイズ特性に優れた部材（例えばウレタンネストラマー等）で構成される。そのため制御部１１を設けたことにより、外ケース６を把持する手からの振動がマイクロフォン素子２に伝搬しづらくなるとともに、外部空間からの騒音がマイクロフォン素子２に伝搬しづらくなる。すなわち、制振部１１を設けたことにより胎児心音以外の雑音の影響を更に小さくすることが可能となる。
【００４２】
また制振部１１は、マイクロフォン素子２の上面を覆うように設けられている。制振部１１はウレタンネストラマー等の弾性の高い素材で構成されるため、接触面８を妊婦母体に押し当てた場合に過剰な圧力がマイクロフォン素子２及び振動伝達部４にかかることを防ぐ効果もある。すなわち、胎児心音マイクロフォン１を強く妊婦母体に押し当てた場合であっても、制振部１１が上方向にたわむことによりマイクロフォン素子２及び振動伝達部４にかかる圧力を軽減することができる。
【００４３】
＜その他の実施形態＞
１つの外ケース６に対して、複数の内ケース３を有する胎児心音マイクロフォン１を構成することも可能である。当該構成について以下に説明する。
【００４４】
図１０は、１つの外ケース６に対して、複数の内ケース３（３−１、３−２）を有する胎児心音マイクロフォン１を示す斜視図である。なお図１０〜図１２において、内ケース３−１のように"−"を使った符号を付した箇所は、実施の形態１〜３に同一名称の対応箇所がある場合（例えば内ケース３−１であれば内ケース３）、実施の形態１〜３と略同一構成であるものとする。また図１０では図面の明確化のため、主要な構成要素の符号のみを付している（他の図面（図１１、図１２）についても同様である。）。
【００４５】
図示するように、本実施の形態にかかる胎児心音マイクロフォン１における外ケース６は、２つの内ケース３（３−１、３−２）を収容するために横長形状を有する。内ケース３−１は、支持部材５−１及び５−２により外ケース６と連結する。内ケース３−２は、支持部材５−４及び５−５により外ケース６と連結する。なお、図示するように外ケース６は湾曲面を有する構成であるが、図１０に示す外ケース６の形状はあくまでも一例であり、長手方向と短手方向を持つ形状であれば他の形状であってもよい。
【００４６】
図１１は、図１０に示す胎児心音マイクロフォン１の横断面図である。なお、当該断面図には、参考として支持部材５−１及び支持部材５−４の位置も併せて表示している。本例において外ケース６は、３つの部材（外ケース筺体６−１、外ケース筺体６−２、外ケース筺体６−３）から構成されている。外ケース筺体６−１は、各支持部材と連結する孔を持つ筺体である。外ケース筺体６−１の上側にある平板状の外ケース筺体６−２は、各マイクロフォン素子２（２−１、２−２）の略直上に配線穴１２（１２−１、１２−２）が設けられている。当該配線穴１２は、各マイクロフォン素子２（２−１、２−２）から延設する電子ケーブル（図示せず）が通る穴である。当該電子ケーブルは、各マイクロフォン素子２（２−１、２−２）の集音した音声信号を処理する回路に接続する。図示するように、外ケース６の長手方向と各支持部材の軸方向は、略直交する方向に設けられている。
【００４７】
なお、内ケース３（３−１、３−２）内の構成は、図２と同様であるため詳細な説明は省略する。
【００４８】
図１２は、底面（妊婦母体表面との接触面８）から上方向に見た胎児心音マイクロフォン１の構成を示す図である。前述のように外ケース６は、横長形状を有する。支持部材５−１及び支持部材５−２は、外ケース６の長手方向と略直交する方向に同軸の関係で設けられている。同様に支持部材５−４及び支持部材５−５は、外ケース６の長手方向と略直交する方向に同軸の関係で設けられている。なお図１２は、１つの内ケース３につき２つの支持部材を有する構成について説明しているが、１つの支持部材により内ケース３と外ケース６を連結する場合であっても、外ケース６の長手方向とこの１つの支持部材の軸方向は略直交する。内ケース３−１及び３−２は、実施の形態１及び２と同様に回転可能に構成されている。
【００４９】
当該構成（図１０〜図１２）では、２つのマイクロフォン素子２（２−１、２−２）によって胎児心音を聴取し、この２つのマイクロフォン素子２（２−１、２−２）が聴取した音声信号を扱うことにより、１つのマイクロフォン素子２を有する構成と比べてより正確な胎児心音データを取得することができる。
【００５０】
更に本実施の形態では、図１２に示すように支持部材５−１及び支持部材５−２は、外ケース６の長手方向と略直交する方向に同軸の関係で設けられている。同様に支持部材５−４及び支持部材５−５は、外ケース６の長手方向と略直交する方向に同軸の関係で設けられている。これにより、使用者が外ケース６を把持して胎児心音マイクロフォン１の接触面８を妊婦母体表面上で滑らせるように移動した場合であっても、両マイクロフォンの接触面８を妊婦母体表面と密着させることができる。
【００５１】
以上、本発明を上記実施形態に即して説明したが、上記実施形態の構成にのみ限定されるものではなく、本願特許請求の範囲の請求項の発明の範囲内で当業者であればなし得る各種変形、修正、組み合わせを含むことは勿論である。例えば、図１０において２つの内ケース３（すなわち２つのマイクロフォン素子２）を有する例を説明したが必ずしもこれに限られず、３つ以上の内ケース３を有する構成とすることも可能である。
【符号の説明】
【００５２】
１  胎児心音マイクロフォン
２  マイクロフォン素子
３  内ケース
３−１  内ケース
３−２  内ケース
４  振動伝達部
５−１  支持部材
５−２  支持部材
５−３  支持部材
５−４  支持部材
５−５  支持図財
６  外ケース
７  振動板
８  接触面
９−１  孔
９−２  孔
９−３  孔
１０  遮音部材
１１  制振部
１２−１  配線穴
１２−２  配線穴
【図１】
2014045918.tif 000003
【図２】
2014045918.tif 000004
【図３Ａ】
2014045918.tif 000005
【図３Ｂ】
2014045918.tif 000006
【図３Ｃ】
2014045918.tif 000007
【図３Ｄ】
2014045918.tif 000008
【図３Ｅ】
2014045918.tif 000009
【図４Ａ】
2014045918.tif 000010
【図４Ｂ】
2014045918.tif 000011
【図５】
2014045918.tif 000012
【図６】
2014045918.tif 000013
【図７】
2014045918.tif 000014
【図８】
2014045918.tif 000015
【図９】
2014045918.tif 000016
【図１０】
2014045918.tif 000017
【図１１】
2014045918.tif 000018
【図１２】
2014045918.tif 000019